(57)【要約】【課題】  自身以外の他の近傍部材に依存することなく揚弁軸長手方向軸線回りの操作レバーの回動が規制された圧力逃し弁を提供する。【解決手段】  バネにより閉弁方向へ付勢された弁体と、弁体に係合可能な揚弁軸と、揚弁軸を長手方向へ駆動して弁体に係合させバネの付勢力に抗して弁体を開弁方向へ駆動する操作レバーとを備え、弁体に加わる一次圧が所定値を超えると開弁し、操作レバーの回動操作により強制開弁可能な圧力逃し弁であって、操作レバーの揚弁軸長手方向軸線回りの回動を規制する規制部材を備える。【選択図】図１
2008138784.tif 000002
【特許請求の範囲】
【請求項１】
バネにより閉弁方向へ付勢された弁体と、弁体に係合可能な揚弁軸と、揚弁軸を長手方向へ駆動して弁体に係合させバネの付勢力に抗して弁体を開弁方向へ駆動する操作レバーとを備え、弁体に加わる一次圧が所定値を超えると開弁し、操作レバーの回動操作により強制開弁可能な圧力逃し弁であって、操作レバーの揚弁軸長手方向軸線回りの回動を規制する規制部材を備えることを特徴とする圧力逃し弁。
【請求項２】
規制部材は操作レバーに係合することを特徴とする請求項１に記載の圧力逃し弁。
【請求項３】
規制部材は揚弁軸に係合することを特徴とする請求項１に記載の圧力逃し弁。
【発明の詳細な説明】
【技術分野】
【０００１】
本発明は、貯湯式温水器に取り付けられる圧力逃し弁に関するものである。
【背景技術】
【０００２】
バネにより閉弁方向へ付勢された弁体と、弁体に係合可能な揚弁軸と、揚弁軸を長手方向へ駆動して弁体に係合させバネの付勢力に抗して弁体を開弁方向へ駆動する操作レバーとを備え、弁体に加わる一次圧が所定値を超えると開弁し、操作レバーの回動操作により強制開弁可能な圧力逃し弁であって、圧力逃し弁を貯湯式温水器の外装筐体に固定する弁固定具を用いて操作レバーの揚弁軸長手方向軸線回りの回動を規制した圧力逃し弁が特許文献１に開示されている。
特許文献１の圧力逃し弁は、貯湯式温水器の貯湯タンク内圧が所定値を超えると、バネの付勢力に抗して弁体が開弁方向へ移動して開弁し、貯湯タンク内の蒸気や温水が大気中に放出され、貯湯タンク内圧の異常上昇が防止される。貯湯式温水器の清掃・点検時には、手動により回動操作された操作レバーが揚弁軸を長手方向へ駆動して弁体に係合させ、バネの付勢力に抗して弁体を開弁方向へ駆動して、圧力逃がし弁を強制開弁する。この結果、貯湯タンク内の蒸気や温水が大気中に放出される。
揚弁軸長手方向軸線回りの操作レバーの回動が規制されるので、操作レバーを手動操作する際の、操作レバーの操作性が良い。
【特許文献１】特開２００６−１０５５３０号公報
【発明の開示】
【発明が解決しようとする課題】
【０００３】
特許文献１の圧力逃し弁には、自身以外の他の近傍部材に依存しないと揚弁軸長手方向軸線回りの操作レバーの回動を規制できないという問題がある。
本発明は上記問題に鑑みてなされたものであり、自身以外の他の近傍部材に依存することなく揚弁軸長手方向軸線回りの操作レバーの回動が規制された圧力逃し弁を提供することを目的とする。
【課題を解決するための手段】
【０００４】
上記課題を解決するために、本発明においては、バネにより閉弁方向へ付勢された弁体と、弁体に係合可能な揚弁軸と、揚弁軸を長手方向へ駆動して弁体に係合させバネの付勢力に抗して弁体を開弁方向へ駆動する操作レバーとを備え、弁体に加わる一次圧が所定値を超えると開弁し、操作レバーの回動操作により強制開弁可能な圧力逃し弁であって、操作レバーの揚弁軸長手方向軸線回りの回動を規制する規制部材を備えることを特徴とする圧力逃し弁を提供する。
本発明に係る圧力逃し弁は、操作レバーの揚弁軸長手方向軸線回りの回動を規制する規制部材を備えている。従って、揚弁軸長手方向軸線回りの操作レバーの回動は、圧力逃し弁以外の他の近傍部材に依存することなく規制されている。
【０００５】
本発明の好ましい態様においては、規制部材は操作レバーに係合して操作レバーの揚弁軸長手方向軸線回りの回動を規制する。
本発明の好ましい態様においては、規制部材は揚弁軸に係合して揚弁軸の長手方向軸線回りの回動を規制する。
操作レバーに規制部材を係合させて操作レバーの揚弁軸長手方向軸線回りの回動を規制しても良く、揚弁軸に規制部材を係合させて揚弁軸の長手方向軸線回りの回動を規制し、結果的に操作レバーの揚弁軸長手方向軸線回りの回動を規制しても良い。
【発明の効果】
【０００６】
本発明により、自身以外の他の近傍部材に依存することなく揚弁軸長手方向軸線回りの操作レバーの回動が規制された圧力逃し弁が提供される。
【発明を実施するための最良の形態】
【０００７】
本発明の実施例に係る圧力逃し弁を説明する。
【実施例１】
【０００８】
無負荷状態での圧力逃し弁の側断、外観を示す図１、２に基づいて、第１実施例に係る圧力逃し弁の構造を説明する。
図１（ａ）に示すように、圧力逃し弁１は、一方の端面の内周縁部に円環状の第１弁座２ａが形成され他方の端面の外周縁部に円環状の第２弁座２ｂが形成された円環板状の弁座形成体２と、第１弁座２ａに対峙して配設された第１弁体３と、第２弁座２ｂに対峙して配設された第２弁体である円環板状のダイアフラム４とを備えている。
【０００９】
第１弁体３は、第１弁座２ａに対峙する円板状の弁本体３ａと、一端が弁本体３ａに固定され弁座形成体２の中央穴を通って第２弁座２ｂ側へ延びる弁棒３ｂとを有している。
弁棒３ｂの弁本体３ａに近接した部位に円環板状のガイド５が外嵌合している。ガイド５の外周縁部は弁座形成体２の他方の端面の内周縁部に対峙している。ガイド５には複数の貫通穴５ａが形成されている。弁棒３ｂの弁本体３ａから離隔した部位にスナップリング６が係止している。
圧縮状態の第１コイルバネ７が弁棒３ｂに外嵌合してガイド５とスナップリング６とに当接している。第１コイルバネ７は、ガイド５を付勢して弁座形成体２に当接させ、弁座形成体２を弁本体３ａへ向けて付勢し、スナップリング６と弁棒３ｂとを介して弁本体３ａを弁座形成体２へ向けて付勢し、弁座形成体２の第１弁座２ａに、弁座本体３ａを当接させている。第１コイルバネ７により、第１弁体３と弁座形成体２とが一体に組付けられている。
【００１０】
圧力逃し弁１は、ダイアフラム４の内周縁部に固定され、ダイアフラム４の内周縁部を間に挟んで第２弁座２ｂに対峙する溝型断面の円環状のダイアフラム受け８と、ダイアフラム受け８を介してダイアフラム４の内周縁部を第２弁座２ｂへ向けて付勢する第２コイルバネ９とを備えている。ダイアフラム４の内周縁部は第２弁座２ｂに当接している。ダイアフラム４の外周縁部は、後述する弁ケーシング１０の半部分１０ａ、１０ｂにより挟持されて、弁ケーシング１０に固定されている。
ダイアフラム受け８とダイアフラム４とを介して第２コイルバネ９の付勢力を受けた弁座形成体２は、後述する弁ケーシング１０の凸部１０ｃに当接している。凸部１０ｃに当接することにより、弁形成体２の弁本体３ａ方向への移動が規制されている。
【００１１】
半部分１０ａ、１０ｂから成る弁ケーシング１０が、弁座形成体２と第１弁体３とダイアフラム４とガイド５とスナップリング６と第１コイルバネ７とダイアフラム受け８と第２コイルバネ９とを収容している。弁ケーシング１０の内部空間は、第１弁体３と弁座形成体２とダイアフラム４とが一体となって形成する隔壁によって、流入室１１と流出室１２とに区画されている。弁ケーシング１０には、流入室１１に連通する流入口１３と流出室１２に連通する流出口１４とが形成されている。半部分１０ａの内面に、弁座形成体２の弁本体３ａ方向、すなわち流入室１１側への移動を規制する凸部１０ｃが形成されている。
【００１２】
弁棒３ｂに整列する揚弁軸１５が、弁ケーシング１０の半部分１０ｂを摺動可能に貫通して流出室１２内へ延びている。揚弁軸１５は、一端が弁棒３ｂの他端に対峙する第１部分１５ａと、第１部分１５ａの他端部が螺入するネジ穴が形成された筒状の第２部分１５ｂとを有している。第１部分１５ａの他端にはマイナスドライバーが係合可能な溝１５ａ’が形成されている。揚弁軸１５の弁ケーシング貫通部をＯリング１６がシールしている。一端が座金１７を介して弁ケーシングの外面に当接し、他端が揚弁軸１５の第２部分１５ｂに当接する第３コイルバネ１８が、弁棒３ｂから遠ざかる方向へ揚弁軸１５を付勢している。第３コイルバネ１８の付勢力を受けた揚弁軸１５の第１部分１５ａの一端は、隙間Ｓを隔てて弁棒３ｂの他端に対峙している。
【００１３】
図１（ａ）と図２とに示すように、揚弁軸移動規制部材１９が、弁ケーシングの半部分１０ａ、１０ｂを一体に結合する４本のネジ２０中の２本を用いて、弁ケーシングの半部分１０ｂの外側に固定されている。揚弁軸移動規制部材１９の一端は二股に分岐し、一対の脚部１９ａ、１９ｂを形成している。脚部１９ａ、１９ｂは、弁ケーシングの半部分１０ｂから立ち上がって揚弁軸１５に平行に延在している。脚部１９ａ、１９ｂの端部に形成された屈曲部１９ａ’、１９ｂ’が、揚弁軸第２部分１５ｂの弁ケーシング１０外へ突出した端部に当接して、揚弁軸１５の第１弁体３から遠ざかる方向への移動を規制している。脚部１９ａ、１９ｂの先端部１９ａ”、１９ｂ”が、屈曲部部１９ａ’、１９ｂ’から更に屈曲して、揚弁軸第２部分１５ｂの延在方向と同一方向へ延びている。
【００１４】
操作レバー２１の一端部が、揚弁軸１５に直交して延在するリベット２２を介して、揚弁軸１５の長手方向軸線回りに回動不能に且つ揚弁軸１５の長手方向軸線に直交する軸線回りに回動可能に、脚部１９ａ、１９ｂの先端部１９ａ”、１９ｂ”に取り付けられている。
【００１５】
操作レバー２１は、図１（ａ）、図２に示す、揚弁軸１５に直交して延在する退避位置と、図１（ｂ）に示す、揚弁軸１５の長手方向軸線の延在方向に延在する稼働位置との間で、リベット２２の軸線回りに９０度回動可能である。操作レバー２１が退避位置から稼働位置へ向けて回動する際に、操作レバー２１の一端部は揚弁軸第２部分１５ｂの弁ケーシング１０外へ突出した端部に当接して、揚弁軸１５を第１弁体３方向へ駆動する。
操作レバー２１が退避位置に在る時に、操作レバー２１の一端近傍部に形成された開口２１ａからドライバーを差し込んで溝１５ａ’に係合させ、揚弁軸第１部分１５ａを回動させて、揚弁軸第１部分１５ａの第２部分１５ｂへの螺入量を調整し、弁棒３ｂと揚弁軸第１部分１５ａとの間の隙間Ｓを調整することができる。
【００１６】
圧力逃し弁１は、貯湯式温水器の貯湯タンク上部から延びる給湯管の貯湯タンク近傍部に固定されている。流入口１３は前記給湯管に接続されており、流出口１４には導通管の一端が接続されている。導通管の他端は大気開放されている。
【００１７】
圧力逃し弁１の作動を説明する。
操作レバー２１を退避位置に位置決めした圧力逃し弁１を貯湯式温水器に取り付けると、流入口１３を介して貯湯タンクに連通する流入室１１の内圧は、貯湯タンクの内圧と等しくなる。第１弁体３と弁座形成体２とダイアフラム４とが一体となって形成する隔壁が、流入室１１側から貯湯タンクの内圧を受圧し、第２コイルバネ９の付勢力に抗しつつ、前記内圧に応じた量だけ流出室１２側へ移動する。流出室１２は、前記隔壁により流入室１１から隔てられており、貯湯タンク内の蒸気や温水は流出室１２へは流入しない。
【００１８】
貯湯タンクの内圧が、所定値  Ｐ１に達すると、第１弁体３の弁棒３ｂが揚弁軸１５の第１部分１５ａに当接し、第１弁体３と弁座形成体２とダイアフラム４とが一体となって形成する隔壁の流出室１２側への移動が規制される。前記所定値Ｐ１は、無負荷時の弁棒３ｂと揚弁軸１５の第１部分１５ａとの間の隙間Ｓと第２コイルバネ９のバネ定数とにより決定される。従って、前記所定値Ｐ１は、操作レバー２１が退避位置に在る時に、操作レバー２１の一端近傍部に形成された開口２１ａからドライバーを差し込んで、揚弁軸第１部分１５ａを回動させ、揚弁軸第１部分１５ａの第２部分１５ｂへの螺入量を調整することにより、調整することができる。
【００１９】
貯湯タンクの内圧が前記所定値Ｐ１を超えると、弁棒３ｂが揚弁軸１５の第１部分１５ａに当接したことにより流出室１２側への移動が規制された第１弁体３、弁座形成体２、ガイド５、スナップリング６、第１コイルバネ７を規制位置に残して、貯湯タンクの内圧を受圧したダイアフラム４が、ダイアフラム受け８を介して印加される第２コイルバネ９の付勢力に抗しつつ、流出室１２側へ移動する。この結果、ダイアフラム４の内周縁部が第２弁座２ｂから離れ、流入室１１が流出室１２に連通する。貯湯タンク内の水蒸気や温水が、流入口１３、流入室１１、ダイアフラム４の内周縁部と第２弁座２ｂとの間の隙間、流出室１２、流出口１４を通って、導通管の一端に流入し、導通管の他端から大気中に放出される。この結果、貯湯タンク内圧の異常上昇が防止される。
【００２０】
貯湯式温水器の清掃・点検時には、図１（ｂ）に示すように、操作レバー２１が稼働位置へ回動操作される。操作レバー２１は弁ケーシング１０の半部分１０ｂに固定された揚弁軸移動規制部材１９により揚弁軸１５の長手方向軸線回りに回動不能に支持されているので、操作レバー２１を回動操作する際に、操作レバー２１は揚弁軸１５の長手方向軸線回りに回動しない。従って、操作レバー２１の操作性は良好である。
操作レバー２１が退避位置から稼働位置へ回動操作される際に、操作レバー２１の一端部が揚弁軸第２部分１５ｂの弁ケーシング１０外へ突出した端部に当接して、揚弁軸１５を第１弁体３方向へ駆動する。貯湯式温水器の清掃・点検時には、一般に貯湯タンク内圧はＰ１未満なので、弁棒３ｂと揚弁軸１５の第１部分１５ａとの間には隙間が形成されている。揚弁軸１５が第１弁体３方向へ移動し、揚弁軸１５の第１部分１５ａが第１弁体３の弁棒３ｂに当接して弁棒３ｂを弁本体３ａ方向へ駆動する。第１弁体３と弁座形成体２とダイアフラム４とが一体となって形成する隔壁が、流入室１１側へ移動する。弁座形成体２が凸部１０ｃに当接して流入室１１側への移動が規制される。弁棒３ｂと弁本体３ａとから形成される第１弁体３のみが第１コイルバネ７の付勢力に抗しつつ流入室１１側への移動を継続し、弁本体３ａが第１弁座２ａから離れて、圧力逃し弁１は強制開弁される。この結果、弁本体３ａと第１弁座２ａとの間の隙間とガイド５の貫通穴５ａとを介して、流入室１１が流出室１２に連通する。貯湯タンク内の水蒸気や温水が、流入口１３、流入室１１、弁本体３ａと第１弁座２ａとの間の隙間、ガイド５の貫通穴５ａ、流出室１２、流出口１４を通って、導通管の一端に流入し、導通管の他端から大気中に放出される。
【００２１】
圧力逃し弁１においては、操作レバー２１は弁ケーシング１０の半部分１０ｂに固定された揚弁軸移動規制部材１９により揚弁軸１５の長手方向軸線回りに回動不能に支持されているので、操作レバー２１を回動操作する際に、操作レバー２１は揚弁軸１５の長手方向軸線回りに回動しない。従って、圧力逃し弁１の操作レバー２１は操作性が良い。
圧力逃し弁１においては、操作レバー２１の揚弁軸長手方向軸線回りの回動を規制する揚弁軸移動規制部材１９が弁ケーシング１０に固定されおり、圧力逃し弁１以外の他の近傍部材に依存することなく揚弁軸長手方向軸線回りの操作レバー２１の回動が規制されている。
【実施例２】
【００２２】
図３に示すように、本発明の第２実施例に係る圧力逃し弁３１は、後述する弁ケーシングに形成された弁座３２と、弁座３２に対峙して配設され、弁体を形成するダイアフラム３３と、ダイアフラム３３の中央穴を埋める座金３４と、ダイアフラム３３の弁座３２にから離隔する側の端面の内周縁部に対峙するダイアフラム受け３５とを備えている。ダイアフラム受け３５はダイアフラム３３に固定され、座金３４はダイアフラム受け３５に固定されている。
【００２３】
圧力逃し弁３１は、揚弁軸３６を備えている。揚弁軸３６の円錐状に形成された一端３６ａは、ダイアフラム受け３５の側から座金３４に対峙している。揚弁軸３６の前記一端３６ａの近傍に、径方向膨出部３６ｂが形成されている。揚弁軸３６に外嵌合するリング状の第１バネ受け３７が、揚弁軸３６の他端側から前記径方向膨出部３６ｂに当接している。第１バネ受け３７の外周縁部は、ダイアフラム受け３５の折り返された外周縁部に対峙している。一端が第１バネ受け３７に当接するコイルバネ３８が、揚弁軸３６を取り巻いて配設されている。コイルバネ３８の他端は揚弁軸３６を取り巻くリング状の第２バネ受け３９に当接している。第２バネ受け３９は、揚弁軸３６が遊動可能に貫通するリング状の調整部材４０に当接している。
【００２４】
圧力逃し弁３１は、ダイアフラム３３、座金３４、ダイアフラム受け３５、揚弁軸３６、第１バネ受け３７、コイルバネ３８、第２バネ受け３９、調整部材４０を収容する弁ケーシング４１を備えている。弁ケーシング４１は、筒状の半部分４１ａと筒状の半部分４１ｂとを有している。
半部分４１ａの一端はダイアフラム受け３５の側からダイアフラム３３の外周縁部に当接し、半部分４１ｂの一端は弁座３２側からダイアフラム３３の外周縁部に当接している。ダイアフラム３３は、外周縁部が半部分４１ａと半部分４１ｂとにより挟持された状態で、弁ケーシング４１に固定されている。
弁座３２は半部分４１ｂに形成されている。調整部材４０は半部分４１ａに螺入している。半部分４１ａの他端に蓋部材４２が螺着している。
【００２５】
揚弁軸３６の他端部が蓋部材４２を貫通して弁ケーシング４１外へ延びている。揚弁軸３６の他端部の断面は多角形に形成されており、蓋部材４２の揚弁軸貫通穴は前記他端部と同形の且つ前記他端部よりも僅かに寸法の大きな多角形に形成されている。
蓋部材４２を貫通して弁ケーシング４１外へ突出した揚弁軸３６の他端に、リベット４３を介して、揚弁軸３６の長手方向軸線に直交する軸線回りに揚弁軸３６に対して相対回動可能に、且つ揚弁軸３６の長手方向軸線回りに揚弁軸３６に対して相対回動不能に、操作レバー４４が取り付けられている。操作レバー４４は、図１に実線で示す、揚弁軸３６に直交する方向に延在する退避位置と、図１に一点鎖線で示す、揚弁軸３６と平行に延在する稼働位置との間で回動可能である。
【００２６】
弁ケーシング４１の半部分４１ｂの他端部は、圧力逃し弁の流出口４５を形成している。半部分４１ｂの外周側面から筒部４１ｃが径方向外方へ延びている。筒部４１ｃの内部空間は、半部分４１ｂの半部分４１ａ側の端部近傍の周側壁に形成された開口４１ｄを介して、半４１ｂの内部空間の半部分４１ａ寄りの部位に連通している。筒部４１ｃの半部分４１ｂから離隔した端部は、圧力逃し弁の流入口４６を形成している。
【００２７】
圧力逃し弁３１は、操作レバーを退避位置に位置決めした状態で、貯湯式温水器の貯湯タンク上部から延びる給湯管の貯湯タンク近傍部に固定されている。流入口４６は前記給湯管に接続されており、流出口４５には導通管の一端が接続されている。導通管の他端は大気開放されている。
【００２８】
圧力逃し弁３１の作動を説明する。
半部分４１ｂの内部空間の半部分４１ａ寄りの部位は、周側壁に形成された開口４１ｄと、筒部４１ｃの内部空間と、流入口４６とを介して貯湯タンクに連通しているので、ダイアフラム３３の弁座３２側の端面には貯湯タンクの内圧による開弁方向の付勢力が作用している。
ダイアフラム３３には、第１バネ受け３７を介してコイルバネ３８の付勢力を受けた揚弁軸３６の一端部３６ａが座金３４に当接することにより、コイルバネ３８による閉弁方向の付勢力が作用している。
貯湯タンクの内圧が所定値Ｐ１以下の場合、コイルバネ３８による閉弁方向の付勢力が貯湯タンクの内圧による開弁方向の付勢力に打ち勝ち、ダイアフラム３３が弁座３２に当接して、圧力逃し弁３１は閉弁している。この結果、流入口４６と流出口４５との連通が阻止され、貯湯タンク内の蒸気や温水は、流出口４５を通って流出しない。
【００２９】
貯湯タンクの内圧が前記所定値Ｐ１を超えると、貯湯タンクの内圧による開弁方向の付勢力がコイルバネ３８による閉弁方向の付勢力に打ち勝ち、ダイアフラム３３が弁座３２から離れて、圧力逃し弁３１は開弁する。この結果、流入口４６が流出口４５に連通し、貯湯タンク内の蒸気や温水は、流出口４５を通って導通管の一端に流入し、導通管の他端から大気中に放出される。この結果、貯湯タンク内圧の異常上昇が防止される。
【００３０】
調整部材４０の螺入量を調整することにより、コイルバネ３８の付勢力を調整し、圧力逃し弁３１の開弁圧Ｐ１を調整することができる。
【００３１】
貯湯式温水器の清掃・点検時には、図３に一点鎖線で示すように、操作レバー４４が稼働位置へ回動操作される。操作レバー４１の一端が蓋部材４２に係合しつつ操作レバー４４が回動操作されることにより、図３に一点鎖線で示すように、リベット４３を介して操作レバーに係合する揚弁軸３６が、コイルバネ３８の付勢力に抗して弁ケーシングの半部分４１ａから所定量引き出される。揚弁軸３６が弁ケーシングの半部分４１ａから引き出され方向へ移動する際に、第１バネ受け３７の外周縁部がダイアフラム受け３５の折り返された外周縁部に係合し、ダイアフラム受け３５を介してダイアフラム３３を開弁方向へ駆動する。この結果、ダイアフラム３３が弁座３２から離れ、流入口４６が流出口４５に連通する。貯湯タンク内の水蒸気や温水が、流流出口４５を通って、導通管の一端に流入し、導通管の他端から大気中に放出される。
【００３２】
圧力逃し弁３１においては、蓋部材４２を貫通する揚弁軸３６の他端部の断面が多角形に形成されており、蓋部材４２の揚弁軸貫通穴が前記他端部と同形の且つ前記他端部よりも僅かに寸法の大きな多角形に形成されているので、揚弁軸３６が長手方向軸線回りに回動しようとすると、揚弁軸貫通穴の周縁が揚弁軸３の角部に係合して揚弁軸３６の長手方向軸線回りに回動を阻止する。操作レバー４４は、揚弁軸３６の長手方向軸線回りに揚弁軸３６に対して相対回動不能に揚弁軸３６に取り付けられているので、揚弁軸３６の長手方向軸線回りの回動が阻止されることにより、操作レバー４４の揚弁軸長手方向軸線回りの回動も阻止される。従って、圧力逃し弁３１の操作レバー４４は操作性が良い。
圧力逃し弁３１においては、蓋部材４２が操作レバー４４の揚弁軸長手方向軸線回りの回動を規制する規制部材を構成しており、圧力逃し弁３１以外の他の近傍部材に依存することなく揚弁軸長手方向軸線回りの操作レバー４４の回動が規制されている。
【産業上の利用可能性】
【００３３】
本発明は、貯湯式温水器に取り付けられる圧力逃し弁に広く利用可能である。
【図面の簡単な説明】
【００３４】
【図１】本発明の第１実施例に係る圧力逃し弁の無負荷状態における側断面図である。（ａ）は操作レバーを退避位置に位置決めした側断面図であり、（ｂ）は操作レバーを稼働位置に位置決めした状態での側断面図である。
【図２】本発明の第１実施例に係る圧力逃し弁の無負荷状態における外観図である。（ａ）は側面図であり、（ｂ）は（ａ）のｂ−ｂ矢視図であり、（ｃ）は（ａ）のｃ−ｃ矢視図である。
【図３】本発明の第２実施例に係る圧力逃し弁の側断面図である。
【符号の説明】
【００３５】
１  圧力逃し弁
２  弁座形成体
３  弁体
４  ダイアフラム
５  ガイド
７  第１コイルバネ
９  第２コイルバネ
１０  弁ケーシング
１１  流入室
１２  流出室
１５  揚弁軸
１８  第３コイルバネ
１９  揚弁軸移動規制部材
２１  操作レバー
３１  圧力逃し弁
３２  弁座
３３  ダイアフラム
３６  揚弁軸
３７  第１バネ受け
３８  コイルバネ
４０  調整部材
４１  弁ケーシング
４２  蓋部材
４４  操作レバー
【図１】
2008138784.tif 000003
【図２】
2008138784.tif 000004
【図３】
2008138784.tif 000005